(57)【要約】      （修正有）【課題】電源オフ期間中に電源スイッチがオンされても、消費電力が増大するのを抑制することが可能な画像形成装置を得る。【解決手段】記憶手段が記憶する時間内に電源スイッチがオンされた場合に、当該電源スイッチがオンされた時間が記憶手段により記憶される時間内か否かを判断する。ここで、電源スイッチがオンされた時間が記憶手段により記憶される時間内だと判断された場合に、前記複数の機能の各々に対応する複数の選択部を表示手段に表示する。そして、表示手段に表示される複数の選択部の何れかが選択された場合に、当該選択された選択部に対応する機能を実行するためのユニットに電力を供給し、選択されなかった選択部に対応する機能を実行するためのユニットに電力を供給しないように制御する。【選択図】図５
2013111755.tif 000002
【特許請求の範囲】
【請求項１】
複数の機能を実行することが可能な画像形成装置であって、
前記複数の機能を実行するための各ユニットに供給される電力を停止する時間を記憶する記憶手段と、
前記記憶手段が記憶する時間内に電源スイッチがオンされた場合に、当該電源スイッチがオンされた時間が前記記憶手段により記憶される時間内か否かを判断する判断手段と、
前記判断手段により前記電源スイッチがオンされた時間が前記記憶手段により記憶される時間内だと判断された場合に、前記複数の機能の各々に対応する複数の選択部を表示する表示手段と、
前記表示手段に表示される前記複数の選択部の何れかが選択された場合に、当該選択された選択部に対応する機能を実行するためのユニットに電力を供給し、選択されなかった選択部に対応する機能を実行するためのユニットに電力を供給しない電力制御手段と、を備えることを特徴とする画像形成装置。
【請求項２】
前記判断手段により前記電源スイッチがオンされた時間が前記記憶手段により記憶される時間外だと判断された場合に、前記電力制御手段は、前記複数の機能を実行するための各ユニットに電力を供給する、ことを特徴とする請求項１に記載の画像形成装置。
【請求項３】
前記電力制御手段が前記選択された選択部に対応する機能を実行するためのユニットに電力を供給する場合、当該電力が供給されるユニットへの電力の供給を停止する時間を設定する設定手段をさらに備え、
前記電力制御手段は、前記設定手段により設定された時間に基づいて、電力が供給されるユニットへの電力の供給を停止する、ことを特徴とする請求項１または２に記載の画像形成装置。
【請求項４】
前記設定手段により設定される時間と、前記記憶手段に記憶される時間とを比較する比較手段をさらに備え、
前記電力制御手段は、前記比較手段による比較結果に基づいて、電力が供給されるユニットへの電力の供給を停止するタイミングを制御する、ことを特徴とする請求項３または４に記載の画像形成装置。
【請求項５】
複数の機能を実行することが可能な画像形成装置であって、
前記複数の機能を実行するための各ユニットに供給される電力を停止する時間を記憶する記憶手段と、
前記記憶手段が記憶する時間内に電源スイッチがオンされた場合に、当該電源スイッチがオンされた時間が前記記憶手段により記憶される時間内か否かを判断する判断手段と、
前記判断手段により前記電源スイッチがオンされた時間が前記記憶手段により記憶される時間内だと判断された場合に、前記記憶手段が記憶する時間が終了するまで、前記複数の機能を実行するための各ユニットの一部に電力が供給されるのを制限する制限手段と、を備えることを特徴とする、画像形成装置。
【請求項６】
複数の機能を実行することが可能な画像形成装置の制御方法であって、
前記複数の機能を実行するための各ユニットに供給される電力を停止する時間を記憶手段に記憶する記憶工程と、
前記記憶手段が記憶する時間内に電源スイッチがオンされた場合に、当該電源スイッチがオンされた時間が前記記憶手段により記憶される時間内か否かを判断する判断工程と、
前記判断工程により前記電源スイッチがオンされた時間が前記記憶手段により記憶される時間内だと判断された場合に、前記複数の機能の各々に対応する複数の選択部を表示手段に表示する表示工程と、
前記表示手段に表示される前記複数の選択部の何れかが選択された場合に、当該選択された選択部に対応する機能を実行するためのユニットに電力を供給し、選択されなかった選択部に対応する機能を実行するためのユニットに電力を供給しない電力制御工程と、を備えることを特徴とする画像形成装置の制御方法。
【請求項７】
複数の機能を実行することが可能な画像形成装置を制御するコンピュータを、
前記複数の機能を実行するための各ユニットに供給される電力を停止する時間を記憶手段に記憶させる記憶制御手段と、
前記記憶手段が記憶する時間内に電源スイッチがオンされた場合に、当該電源スイッチがオンされた時間が前記記憶手段により記憶される時間内か否かを判断する判断手段と、
前記判断手段により前記電源スイッチがオンされた時間が前記記憶手段により記憶される時間内だと判断された場合に、前記複数の機能の各々に対応する複数の選択部を表示手段に表示させる表示制御手段と、
前記表示手段に表示される前記複数の選択部の何れかが選択された場合に、当該選択された選択部に対応する機能を実行するためのユニットに電力を供給し、選択されなかった選択部に対応する機能を実行するためのユニットに電力を供給しない電力制御手段として機能させることを特徴とするプログラム。
【発明の詳細な説明】
【技術分野】
【０００１】
本発明は、所望の設定時刻に自動的に電源断と電源復帰を切り換えるタイマ機能を備えた画像形成装置、画像形成装置の制御方法、及びプログラムに関するものである。
【背景技術】
【０００２】
画像形成装置の電源のオンおよびオフをタイマにより制御する画像形成装置が提案されている（例えば、特許文献１参照）。このような画像形成装置においては、タイマに従った電源制御により、毎朝始業時刻に自動的に画像形成装置の電源をオンして、終業時刻に自動的に画像形成装置の電源をオフするなどの使い方をする。これによって、ユーザが手動で電源スイッチをオン／オフすることなく、画像形成装置を所定時刻に自動的に電源オンまたは電源オフにする機能を実現している。
ここで、画像形成装置がタイマ機能による電源オフ期間中に、ユーザが手動で電源スイッチをオンにして画像形成装置の電源をオンにした場合、画像形成装置の機能の全てが電源復帰する。
【先行技術文献】
【特許文献】
【０００３】
【特許文献１】特開２０１０−１６６２５１号公報
【発明の概要】
【発明が解決しようとする課題】
【０００４】
画像形成装置をタイマ機能により電力管理を行っている場合、電源オフ期間中の消費電力を低減化することが望まれる。一方で、電源オフ期間中であっても、ユーザが画像形成装置を利用したい場合もある。
この際、たとえば、ユーザがスキャナ機能のみで画像形成装置のハードディスクに情報を取り込みたい場合、ドキュメントＢＯＸに情報を取り込みたい場合、ＦＡＸでデータの送信のみに使用したい場合を想定する。この場合、従来の電源制御によれば、電源がオフされている画像形成装置の電源スイッチをオンにすると、当該画像形成装置で全ての機能が実行可能な状態に電源供給がなされてしまう。
このため、上記した情報の取り込みやデータ送信以外に他の機能を使用しない場合でも、他の機能を実行するためのユニットに電源が供給されてしまう。例えば、ＦＡＸでデータの送信のみを使用したい場合でも、使用する必要のないプリンタ機能を実行するエンジンまで電源が供給されてしまう。このように、画像形成装置において、ユーザが使用しない機能を実行するユニットまで電力を供給するので、電源オフ期間において、消費電力を十分に低減化することができない状況が発生していた。
【０００５】
本発明は、上記の課題を解決するためになされたもので、本発明の目的は、電源オフ期間中に電源スイッチがオンされても、消費電力が増大するのを防止することが可能な画像形成装置を提供することである。
【課題を解決するための手段】
【０００６】
上記目的を達成する本発明の画像形成装置は以下に示す構成を備える。
複数の機能を実行することが可能な画像形成装置であって、前記複数の機能を実行するための各ユニットに供給される電力を停止する時間を記憶する記憶手段と、前記記憶手段が記憶する前記時間内に電源スイッチがオンされた場合に、当該電源スイッチがオンされた時間が前記記憶手段により記憶される時間内か否かを判断する判断手段と、前記判断手段により前記電源スイッチがオンされた時間が前記記憶手段により記憶される時間内だと判断された場合に、前記複数の機能の各々に対応する複数の選択部を表示する表示手段と、前記表示手段に表示される前記複数の選択部の何れかが選択された場合に、当該選択された選択部に対応する機能を実行するためのユニットに電力を供給し、選択されなかった選択部に対応する機能を実行するためのユニットに電力を供給しない電力制御手段と、を備えることを特徴とする。
【発明の効果】
【０００７】
本発明によれば、電源オフ期間中に電源スイッチがオンされても、消費電力が増大するのを抑制することが可能な画像形成装置を得ることができる。
【図面の簡単な説明】
【０００８】
【図１】本実施形態を示す画像形成装置の構成を示す断面図である。
【図２】コントローラ制御部を含む制御部の全体構成を示すブロック図である。
【図３】図２に示したコントローラ制御部の構成を示すブロック図である。
【図４】図２に示した画像形成装置の操作部の構成を示す平面図である。
【図５】画像形成装置の制御方法を説明するフローチャートである。
【図６】画像形成装置のユーザインタフェース画面の一例を示す図である。
【図７】画像形成システムの制御方法を説明するフローチャートである。
【図８】画像形成装置のユーザインタフェース画面の一例を示す図である。
【図９】画像形成装置の電源オン／オフ状態を示すタイミングチャートである。
【図１０】画像形成装置のユーザインタフェース画面の一例を示す図である。
【発明を実施するための形態】
【０００９】
次に本発明を実施するための最良の形態について図面を参照して説明する。
＜システム構成の説明＞
〔第１実施形態〕
【００１０】
図１は、本実施形態を示す画像形成装置の構成を示す断面図である。本実施形態に示す画像形成装置１は、タイマ機能で設定される所定時間に画像形成装置１の電源をオンまたは電源をオフする自動電源オフ機能を備えている。本実施形態では、複合機を想定した画像形成装置１を示すが、本実施形態に示す全ての機能を備えていない画像形成装置１であっても本発明を適用可能である。
本例の画像形成装置１は、イメージリーダ２００およびプリンタ３００からなる画像形成装置本体、折り装置５００およびフィニッシャ６００を含んで構成されている例である。なお、イメージリーダ２００の上部には、原稿搬送装置１００が装着されている。また、フィニッシャ６００の上部には、インサータ７００が装着されている。なお、本実施形態では、スキャナユニット、プリンタユニット等の複数のユニットを備え、後述するように各ユニットに供給される電源を停止する時間内に、電源スイッチがオンされた場合に、当該時間が終了するまで、複数の機能を実行するための各ユニットの一部に電力が供給されるのを制限する機能を備える。
【００１１】
図１において、原稿搬送装置１００は、原稿トレイ１０５上にセットされた原稿を先頭頁から順に１枚ずつ給紙し、湾曲したパスを介して原稿台ガラス２０５の上へと搬送する。片面原稿を読取る方法としては、原稿台ガラス２０５上の読取位置Ｒ１へ原稿の後端を搬送、停止させ、スキャナユニット２０６を左から右へ移動させることにより、原稿の読取りを行う原稿固定読取モードを備える。さらに、片面原稿を読取る方法としては、原稿をある読取り速度で読取位置Ｒ１へ搬送し、スキャナユニット２０６を読取位置Ｒ１で固定したまま原稿の読取りを行う原稿流し読取モードを備える。その後、いずれのモードの場合も、読取った原稿を排紙トレイ１０６に排出する。
【００１２】
両面原稿を読取る方法としては、スキャナユニット２０６で表面を読取り、原稿搬送装置１００内に配置した光学ユニット１１０を使用して裏面を読取る方法がある。詳細な説明は後述する。光学ユニット１１０内には図示しないイメージセンサおよび光源等が配置されている。
【００１３】
レンズ２０７を介してイメージセンサ２０８により読取られた原稿の画像は、プリンタ制御部３０１を介して露光制御部３０５に送られる。露光制御部３０５は、画像信号に応じたレーザ光を出力する。このレーザ光が感光ドラム３０６に照射されると、感光ドラム３０６上には静電潜像が形成される。感光ドラム３０６上の静電潜像は現像器３０７により現像され、感光ドラム３０６上の現像剤はカセット３０８、３０９、手差し給紙部３１０および両面搬送パス３１１のいずれかから給送されたシートに転写部３１２で転写される。
【００１４】
現像剤が転写されたシートは定着部３１３に導かれると、現像剤の定着処理が施される。定着部３１３を通過したシートを、図示しないフラッパにより、一旦、パス３１５からパス３１４に導き、シートの後端がパス３１５を抜けた後、シートをスイッチバックさせてパス３１６から排出ローラ３１７に導く。これにより、現像剤が転写された面を下向きの状態（フェイスダウン）にして排出ローラ３１７によりプリンタ３００から排出することが可能である。これを反転排紙という。このように、フェイスダウンで排出することにより、原稿搬送装置１００を用いて複数枚の原稿を読取った画像をプリントする場合など、先頭頁から正しい頁順で画像形成を行うことが可能である。
【００１５】
尚、手差し給紙部３１０からＯＨＰシートなどの硬いシートに画像形成を行う場合、パス３１５に導くことなく、現像剤が転写された面を上向きの状態（フェイスアップ）のままで排出ローラ３１７から排出する。
【００１６】
また、シートの両面に画像形成を行う場合、シートを定着部３１３からパス３１５、パス３１４に導き、シートの後端がパス３１５を抜けた直後にシートをスイッチバックさせ、図示しないフラッパにより両面搬送パス３１１に導く。両面搬送パス３１１に導かれたシートに対し、再度、転写部３１２で静電潜像が転写され、定着部３１３で定着処理が施される。
【００１７】
このように、転写部３１２から両面搬送パス３１１を経由して再び転写部３１２に戻る一巡のパスの中に、Ａ４、Ｂ５等のハーフサイズ用紙が５枚入った状態でも搬送可能なように、パス長、ローラ配置、駆動系の分割がなされている。尚、これらの処理による排出頁順は、奇数頁が下向きになるように排出されるので、両面コピー時の頁順を合わせることができる。
【００１８】
排出ローラ３１７から排出されたシートは折り装置５００に送り込まれる。折り装置５００はシートをＺ折りに折りたたむ処理を行う。Ａ３サイズやＢ４サイズのシートで折り処理の指定がなされている場合、折り装置５００で折り処理が行われた後にフィニッシャ６００に送り込まれるが、それ以外のサイズのシートはそのままフィニッシャ６００に送り込まれる。フィニッシャ６００は製本処理、綴じ処理、穴あけなどの処理を行う。また、フィニッシャ６００の上部には、インサータ７００が設けられており、表紙、合紙等をフィニッシャ６００に給送する。
コントローラ制御部４００はイメージリーダ２００、プリンタ３００、折り装置５００およびフィニッシャ６００と通信を行い、画像形成装置１の全体の制御を司る。
図２は、図１に示したコントローラ制御部４００を含む制御部の全体構成を示すブロック図である。本例は、画像形成装置１を制御するコントローラ制御部４００を中心に構成されている。なお、図２に示すサーバ装置４５３は図１に示した画像形成装置１と通信することで画像形成システムを構築し、後述する図６に示すＳ６０２で、画像形成装置１から通知される時刻がタイマ機能の電源オフから次回電源オン期間中であるかを判定する判定処理を行う。そして、サーバ装置４５３のＣＰＵが電源オフ期間中でないと判定した場合、画像形成装置１の全体のシステムの電源復帰を行うためのパケットを画像形成装置１に送信する。同様に、サーバ装置４５３のＣＰＵが電源オフ期間中であると判定した場合、画像形成装置１の一部のシステムの電源復帰を行うためのパケットを画像形成装置１に送信する。
【００１９】
図２において、コントローラ制御部４００は、操作部８００の設定やサーバ装置４５３からの指示に基づいて原稿搬送装置１００を制御する原稿搬送装置制御部１０１、イメージリーダ２００を制御するイメージリーダ制御部２０１と通信を行い入力される原稿の画像データを取得する。また、コントローラ制御部４００は、プリンタ３００を制御するプリンタ制御部３０１と通信を行い、画像データをシートに印刷する。さらに、コントローラ制御部４００は、折り装置５００を制御する折り装置制御部５０１、フィニッシャ６００を制御するフィニッシャ制御部６０１と通信を行い、印刷されたシートにステイプルやパンチ穴といった所望の出力を実現する。
【００２０】
通信Ｉ／Ｆ４５１はサーバ装置４５３を接続するインターフェースであり、例えばネットワークやＵＳＢなどの外部バス４５２で接続しサーバ装置４５３からのプリントデータを画像に展開して出力することを行う。
また、記憶部４０９は、例えばタイマ機能の設定情報やイメージリーダ制御部２０１より入力された画像データを一時的に保存することを行う。
【００２１】
図３は、図２に示したコントローラ制御部４００の構成を示すブロック図である。
図３において、コントローラ制御部４００は主制御部４０８で制御され、オペレーティングシステム（以下、ＯＳ）で制御される。また、ネットワークやＵＳＢインターフェースを制御する通信制御部４０５が接続される。主制御部４０８は、原稿搬送装置制御部１０１、イメージリーダ制御部２０１、プリンタ制御部３０１、折り装置制御部５０１、フィニッシャ制御部６０１、操作部８００と接続され制御を司る。
第１の電源ＯＮ／ＯＦＦ切り替え器４０３は、第１の電源４０４のＯＮ／ＯＦＦを切り替える。第２の電源ＯＮ／ＯＦＦ切り替え器４０６は、主制御部４０８に電源を供給している第２の電源４０７のＯＮ／ＯＦＦを切り替える。第１の電源４０４および第２の電源４０７は、商用電源に接続されている。なお、第２の電源４０７は、電源スイッチ４１２を介して上記した商用電源４１１に接続されている。
補助電源４０１は、電源制御タイマ４０２に常時電源を供給し、電源制御タイマ４０２は独立に動作できる構成になっている。電源制御タイマ４０２は、第１の電源ＯＮ／ＯＦＦ切り替え器４０３に接続され、第１の電源４０４のＯＮ／ＯＦＦをタイマ制御する。
【００２２】
通信制御部４０５は、第２の電源ＯＮ／ＯＦＦ切り替え器４０６に接続され、通信Ｉ／Ｆ４５１を介して受信したパケットを判断して第２の電源４０７のＯＮ／ＯＦＦを制御する。また、通信制御部４０５は、電源制御タイマ４０２の次回起動時刻を設定する。
また、主制御部４０８は、記憶部４０９に格納されたタイマ設定情報を取得し、通信制御部４０５を介して電源制御タイマ４０２に次回起動時刻を設定する。ここで、サーバ装置４５３は所定の時刻に通信Ｉ／Ｆ４５１を介して通信制御部４０５にパケットを送信するタイマ機能を有する。
【００２３】
図４は、図２に示した画像形成装置１の操作部８００の構成を示す平面図である。
図４において、ＬＣＤ表示部９００は、ＬＣＤ上にタッチパネルシートが貼られており、システムの操作画面を表示するとともに、表示してあるキーが押されるとその位置情報をコントローラ制御部４００に伝える。
テンキー８０１はコピー枚数など、数字の入力時に使用する。スタートキー８０２は、ユーザ所望の条件を設定した後、複写動作、原稿の読取り動作を開始する時などに用いる。ストップキー８０３は稼働中の動作を止めるときに使用する。省エネキー８０４はユーザが省電力モードへの移行、復帰を行うのに使用する。
【００２４】
また、８０５はガイドキーであり、キーの機能が解らないとき押すとそのキーの説明が表示される。８０６はコピーモードキーであり、複写を行うときに押す。８０７はファクスキーであり、ファクスに関する設定を行うときに押す。８０８はファイルキーであり、ファイルデータを出力したいときに押す。８０９はプリンタキーであり、コンピュータ等の外部装置からのプリント出力に関する設定などを行うときに使用する。
【００２５】
〔第１の電源復帰制御〕
図５は、本実施形態を示す画像形成装置１の制御方法を説明するフローチャートである。本例は、電力制御における第１の電源復帰制御例である。
【００２６】
図６は、本実施形態を示す画像形成装置１のユーザインタフェース画面の一例を示す図である。本例は、電源復帰を複数の機能に対応づけられた選択部の選択状態に応じて実行するためにユーザが選択可能な機能をボタンＢＴ１〜ＢＴ６に対応づけて表示した例である。ユーザは、このボタンＢＴ１〜ＢＴ６のいずれか１つ、あるいは実行させたい機能に応じてボタンＢＴ１〜ＢＴ６のうちの複数のボタンを選択する。なお、全てのボタンＢＴ１〜ＢＴ６が選択された場合には、機能選択モードが解消され、通常起動モードに従って各部への電源復帰処理が実行される。なお、ボタンＢＴ７は、シャットダウンボタンとして機能する。
【００２７】
Ｓ５０１で、ユーザが手動で画像形成装置１１が備える電源スイッチ４１２を操作してオン状態に移行させると、図３に示した第２の電源４０７がＯＮ状態になり、主制御部４０８に電源が供給される。このとき、主制御部４０８は、記憶部４０９に格納されたタイマ設定情報及び通信制御部４０５を介して電源制御タイマ４０２にアクセスし、現時刻を取得する。
【００２８】
次に、Ｓ５０２で、主制御部４０８は、Ｓ５０１で取得したタイマ設定情報と現時刻を比較し、現時刻が電源オフ期間中（時間内）か否かを判断する。ここで、電源オフ期間中であると主制御部４０８が判断した場合は、Ｓ５０３へ進み、主制御部４０８は、画像形成装置１の機能を選択させる機能選択モードに移行する。なお、主制御部４０８が使用する電源オフ期間に関する情報（タイマ設定情報）は、記憶部４０９に記憶されている。
一方、Ｓ５０２で、電源オフ期間中でないと主制御部４０８が判断した場合は、時間外と判断してＳ５０６へ進む。そして、Ｓ５０６で、画像形成装置１の機能すべてを選択可能な通常起動モードに移行する。これにより、主制御部４０８は各制御部を介して、各機能に対応するユニットに対して電源復帰をさせる。
【００２９】
ここで、通常起動モードとは、図１の画像形成装置１のイメージリーダ２００およびプリンタ３００からなる画像形成装置本体、折り装置５００およびフィニッシャ６００、原稿搬送装置１００といった全てのシステムを各制御に介して電源復帰状態にすることである。
次に、Ｓ５０４で、主制御部４０８は、機能選択モードに従って操作部８００の電源復帰を行い、図６に示すような選択画面（ユーザインタフェース画面）を図４のＬＣＤ表示部９００に表示する。この時点では、表示された機能に対応する各部への電源復帰はなされておらず、画像形成装置本体は、節電状態にある。
【００３０】
次に、Ｓ５０５で、ユーザは、図６に示した機能選択画面より使用する機能の項目を選択すると、主制御部４０８は、使用する機能（ユーザにより選択された機能）に応じて図１に示した画像形成装置１の各ユニットを図２に示した各制御部を介して電源復帰を行い、本処理を終了する。
例えば、図６に示した機能選択画面において、ボタンＢＴ２を押下してスキャナ機能が選択された場合、主制御部４０８はイメージリーダ制御部２０１を介して、イメージリーダ２００の電源復帰を行い、それ以外の電源復帰は行わない。また、例えば、図６に示した機能選択画面において、ボタンＢＴ１を押下してコピー機能が選択された場合、主制御部４０８はプリンタ制御部３０１を介して、プリンタ３００の電源復帰を行い、それ以外の電源復帰は行わない。
【００３１】
〔第２実施形態〕
図７は、本実施形態を示す画像形成システムの制御方法を説明するフローチャートである。本例は、電力制御における第２の電源復帰制御例である。
なお、Ｓ６０２に伴い、サーバ装置４５３が備えるＣＰＵは、図示しないステップにおいて、画像形成装１置から通知される電源をオン状態に移行した時刻がタイマ機能の電源オフ期間中であるかを判定する。ここで、サーバ装置４５３が備えるＣＰＵが電源オフ期間中でないと判定した場合、画像形成装置１の全体のシステムの電源復帰を行うためのパケット（以下、パケットＡとする）を画像形成装置１に送信する。サーバ装置４５３が備えるＣＰＵが電源オフ期間中であると判定した場合、画像形成装置１の一部のシステムの電源復帰を行うためのパケット（以下、パケットＢとする）を前記画像形成装置１に送信する。
以下、画像形成装置１の主制御部４０８がサーバ装置４５３と通信して行う電源復帰処理の流れを説明する。
画像形成装置１の主制御部４０８は、サーバ装置４５３から受信するパケットがパケットＢであるかどうかを判断（Ｓ６０３の第１の判断）する。ここで、受信するパケットがパケットＢでないと主制御部４０８が判断した場合、画像形成装置１によるタイマ機能の電源オフ期間中であるかどうかを判断する（Ｓ６０７の第２の判断）。そして、パケットＢであると主制御部４０８が判断した場合、主制御部４０８が画像形成装置１の一部のシステムの電源復帰を行う。同様に、パケットＢでないと主制御部４０８が判断し、かつ、画像形成装置１によるタイマ機能の電源オフ期間中であると判断した場合、画像形成装置１の一部のシステムの電源復帰を行う。以下、図７に示す手順に基づいて、本実施形態に示す画像形成システムにおける電源復帰処理の詳細例を説明する。
【００３２】
Ｓ６０１で、ユーザが手動で画像形成装置１が備える電源スイッチを操作して電源をオン状態に移行させると、図３に示した第２の電源４０７がＯＮ状態になり、主制御部４０８に電源が供給される。このとき、主制御部４０８は、記憶部４０９に格納されたタイマ設定情報を取得する。また、主制御部４０８は、通信制御部４０５を介して電源制御タイマ４０２にアクセスし、現時刻を取得する。
【００３３】
次に、Ｓ６０２では、Ｓ６０１で電源オン状態になることを、主制御部４０８は通信制御部４０５、通信Ｉ／Ｆ４５１および外部バス４５２を介して、所定のプロトコルを用いてサーバ装置４５３に通知する。ここで、サーバ装置４５３は、電源オンが通知された時間とサーバ装置４５３が有するタイマ設定情報を比較し、現在画像形成装置１が電源オフ期間中であるか否かを比較結果から判断する。ここで、電源オフ期間中であるとサーバ装置４５３が判断した場合、「電源オフ期間中」であることを通知するパケットＢを通信制御部４０５に送信する。
【００３４】
Ｓ６０３で、通信制御部４０５は、サーバ装置４５３から電源オフ期間中であることを通知するパケットＢを受信したかどうかを判断する。ここで、サーバ装置４５３から電源オフ期間中であることを通知するパケットＢを受信したと通信制御部４０５が判断した場合、通信制御部４０５は、その旨を主制御部４０８に通知する。このようにして、主制御部４０８が電源オフ期間中である旨の通知を受信すると、Ｓ６０４へ進み、電源オフ期間中である旨の通知を受信していないと判断した場合は、Ｓ６０７へ処理を進める。
【００３５】
なお、Ｓ６０４〜Ｓ６０６は第１の電源復帰制御に示したＳ５０３〜Ｓ５０５と同様で、Ｓ６０７〜Ｓ６１１は、第１の電源復帰制御に示したＳ５０２〜Ｓ５０６と同様の処理を行う。
このように画像形成装置１の電源状態を管理する装置が、ネットワークのサーバ装置４５３である場合でも、サーバ装置４５３が個別的に管理する画像形成装置１の電源オフ期間を通知するパケットを用いて第２の電源復帰制御を実現できる。
【００３６】
〔第３実施形態〕
図８は、本実施形態を示す画像形成装置１のユーザインタフェース画面の一例を示す図である。図８に示した画面は、次に電源をオフにする時間を設定するための画面であって、ボタンＢＴ１１〜ＢＴ１６が表示されている。当該画面において、ユーザがボタンＢＴ１１〜ＢＴ１６を選択することで、各ボタンＢＴ１１〜１６に対応した時間経過後、あるいは指定時刻を、次に画像形成装置１の電源をオフにする時間を設定することができる。なお、ボタンＢＴ１７は、選択したボタンＢＴ１１〜ＢＴ１６に対応した機能を確定するためのボタンとして機能する。
なお、自動電源オフ機能は、第１および第２の電源復帰制御のようにタイマ機能による電源オフ期間中にユーザが手動で画像形成装置１の電源スイッチを電源オンにしたときに有効となる。
【００３７】
なお、次に画像形成装置１の電源をオフにする時間は、例えば３０分といった決められた時間がデフォルトで設定されていても良い。
本実施形態によれば、自動電源オフ機能が有効なとき、コントローラ制御部４００は操作部８００に図８に示すようなユーザインタフェース画面をＬＣＤ表示部９００に表示する。
【００３８】
これにより、画像形成装置１を以下のタイミングで起動した後、ユーザがボタンＢＴ１１〜ＢＴ１６を選択してから所定時間経過後、あるいは指定された時刻を次回の電源オフ時刻として画像形成装置１の電源を制御することができる。
ここで、画像形成装置１を起動するタイミングとは、画像形成装置１がタイマ機能による電源オフ期間中において、ユーザが手動で画像形成装置１の電源スイッチをオンにした時、サーバ装置４５３から送信されるパケットを受信した時である。
【００３９】
このとき、図８に示したユーザインタフェース画面でユーザが選択したボタンＢＴ１１〜ＢＴ１６等に対応する自動電源オフ時間は、操作部８００から主制御部４０８を介して、電源制御タイマ４０２に設定される。そして、自動電源オフ時間となったとき、電源制御タイマ４０２は、通信制御部４０５を介して第２の電源ＯＮ／ＯＦＦ切り替え器４０６に通知し、第２の電源ＯＮ／ＯＦＦ切り替え器４０６は、第２の電源４０７をＯＦＦに切り替え画像形成装置の電源をオフ状態に遷移させる。
【００４０】
〔第４実施形態〕
図９は、本実施形態を示す画像形成装置１の電源がオン又はオフになるタイミングを示したタイミングチャートである。本例は、電源オフ期間内において、ユーザが手動で電源をオンした場合における画像形成装置１の電源がオン又はオフになるタイミングを示す。
【００４１】
上述したようにタイマ機能により画像形成装置１の電源がオンになる時間またはオフになる時間が設定されていて、かつ第３実施形態の自動電源オフ機能が設定されている場合に、図９のようにタイマ機能により画像形成装置１の電源がオンになる時間（以下、タイマ機能による電源オン時間）と、自動電源オフ機能により画像形成装置の電源がオフになる時間（以下、自動電源オフ時間）とが競合する可能性がある。
【００４２】
そこで、主制御部４０８は、タイマ機能による電源オン時間と、自動電源オフ時間とが、競合するかどうかを以下のように判断する。具体的には、主制御部４０８が記憶部４０９に保存されているタイマ設定情報を読み出す。なお、主制御部４０８は、図８に示すＵＩ画面において、ユーザが選択するボタンに対応づけた自動電源オフ時間を操作部８００から受け付けて、自動電源オフ時間とタイマ機能による電源オン時間とを比較する。
【００４３】
ここで、主制御部４０８が、自動電源オフ時間がタイマ機能による電源オン時間を超えると判断した場合、主制御部４０８は設定された自動電源オフ時間を電源制御タイマ４０２に設定せずに無効とする。
また、主制御部４０８は記憶部４０９に保存されているタイマ機能による電源オン時間を読み出し、当該電源オン時間を超えない選択時間のみを表示するよう操作部８００を制御してもよい。
〔第５実施形態〕
【００４４】
上記第１実施形態では、記憶部４０９に記憶されているタイマ設定情報に基づいて画像形成装置１の電源をオンまたはオフにする例について説明した。また、上記第２実施形態では、サーバ装置４３５が有するタイマ設定情報に基づいて画像形成装置１の電源をオンまたはオフにする例について説明した。
本実施形態では、後述する図１０に示すＵＩ画面を用いてユーザが、画像形成装置１の電源をオフにするために、いずれのタイマ（画像形成装置１内のタイマ、又は、サーバのタイマ）を優先できるかを選択できるように構成している。
【００４５】
図１０は、本実施形態を示す画像形成装置１のユーザインタフェース画面の一例を示す図である。本例は、タイマ優先度選択画面である。本実施形態では、画像形成装置１内のタイマ機能による画像形成装置１の電源のオンまたはオフと、サーバ装置４５３が送信するパケットによる画像形成装置１の電源のオンまたはオフと、のいずれを優先させるかをユーザがボタンを操作して選択する例を示す。
主制御部４０８は、以下に示す第１または第２の表示タイミングで図１０に示すＵＩ画面を操作部８００に表示する制御を実行する。
第１の表示タイミングは、サーバ装置４５３に設定されているタイマ設定情報を読み出した時である。第２の表示タイミングは、記憶部４０９に記憶されているタイマ設定情報を読み出した時である。
【００４６】
これにより、主制御部４０８が図１０に示すＵＩ画面を操作部８００に表示した際に、ユーザは、ボタンＢＴ２１、ＢＴ２２のいずれかを選択することで、画像形成装置の電源を制御するデバイスを選択する。なお、ＢＴ２３は、選択したボタンＢＴ２１およびボタンＢＴ２２に対応したタイマを確定するためのＯＫボタンとして機能する。
〔第６実施形態〕
上記実施形態では、タイマ機能による電源オン／オフ時間と、サーバ装置４５３が送信する電源オン／オフ指示パケット送信時間とのいずれを優先させるかをユーザがボタンを操作して選択する例を説明した。
これに対して、画像形成装置１において、自動で電源をオフする所定時間と、タイマ機能による次回電源オン時間とが競合する場合に、所定時間または次回電源オン時間のいずれを優先させるかをユーザが選択できるように構成してもよい。
〔第７実施形態〕
上記実施形態において、自動で電源をオフする所定時間にジョブが投入された場合に、当該ジョブの処理を終了した後、自動で電源をオフする制御を各実施形態に組み入れてもよい。
また、各実施形態の処理の一部あるいは、一部の処理に代えて他の実施形態の処理を組み入れてなる実施形態も本発明の趣旨に反するものではない。
【００４７】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００４８】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００４９】
４００  コントローラ制御部
４０１  補助電源
４０２  電源制御タイマ
４０３  第１の電源ＯＮ／ＯＦＦ切り替え器
４０４  第１の電源
４０５  通信制御部
４０６  第２の電源ＯＮ／ＯＦＦ切り替え器
４０７  第２の電源
４０８  主制御部
【図１】
2013111755.tif 000003
【図２】
2013111755.tif 000004
【図３】
2013111755.tif 000005
【図４】
2013111755.tif 000006
【図５】
2013111755.tif 000007
【図６】
2013111755.tif 000008
【図７】
2013111755.tif 000009
【図８】
2013111755.tif 000010
【図９】
2013111755.tif 000011
【図１０】
2013111755.tif 000012